(57)【要約】      （修正有）【課題】唇に貼着されることなく長時間にわたってより安定的に貼着される手軽な口閉じテープを提供する。【解決手段】口閉じテープ１は、略Ｖ字形状の基材層２と、Ｖ字の開放両上端部領域と下端部領域の３つの領域に粘着剤層を被覆して成る第１及び第２の貼着部３ａ，３ｂと、第３の貼着部３ｃとを備え、第１の貼着部３ａと第２の貼着部３ｂとの間に切欠き部５が形成されたものである。そして、第１の貼着部３ａおよび第２の貼着部３ｂのそれぞれから第３の貼着部３ｃに跨がる連結部４は、粘着剤層のない基材露呈領域として非粘着領域を形成している。第１と第２の貼着部３ａ，３ｂが、それぞれ鼻の下の「人中」２１の左右両側領域に貼着され、連結部４が唇２０を跨いで第３の貼着部３ｃが顎領域に貼着されることによって、口閉じ状態が固定され、睡眠中の花鼻呼吸が確保される。【選択図】図１
0003193679.tif 000002
【実用新案登録請求の範囲】
【請求項１】
鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備えていることを特徴とする３領域貼着口閉じテープ。
【請求項２】
鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記第１と第２の貼着部の間の切欠き部が、貼着状態で唇の中央部に達していることを特徴とする３領域貼着口閉じテープ。
【請求項３】
鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記３つの貼着部と前記連結部とを含む全面領域が、基材層と、該基材層に被覆された粘着剤層と、該粘着剤層を覆う剥離ライナー層との積層材からなり、前記連結部の領域には粘着剤層と剥離ライナー層との間に非粘着材層が介在していることを特徴とする３領域貼着口閉じテープ
【請求項４】
鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記３つの貼着部と前記連結部とを含む全面領域が、基材層と、該基材層の前記連結部の領域以外に被覆された粘着剤層と、該粘着剤層と前記基材層が露呈する連結部領域とを覆う剥離ライナー層との積層材からなることを特徴とする３領域貼着口閉じテープ。
【考案の詳細な説明】
【技術分野】
【０００１】
本考案は、いびきを防止するために、睡眠中に口を閉じて鼻呼吸を維持するように、鼻と口の間の唇を除く３領域貼着で固定される口閉じテープに関するものである。
【背景技術】
【０００２】
いびきは、睡眠中に舌を含む喉、顎周りの筋肉も緩んで、下顎が下がり、口呼吸となると共に、舌根や軟口蓋が下方に落ち込んで上気道を狭くすることによって、そこを通る空気が周囲の組織を振動させて起こるものである。このような上気道の閉塞は、何らかの疾患が関連する場合を除き、一般的に、仰向け寝タイプで口の中の筋力が弱い人や日常的な疲労や飲酒により筋肉が緩みやすくなっている人に習慣的に生じている。
【０００３】
しかし、このような習慣的ないびきは、騒音レベルのものも少なくなく、同居人の睡眠を妨げるだけでなく、本人の睡眠も浅くなったり、疲労回復効果が得られないなど、睡眠の質が大幅に低減する問題があり、多くの人々が睡眠中の有効ないびき防止手段を求めている。
【０００４】
いびき防止手段としては、鼻呼吸を維持することでいびきが軽減されることから、口呼吸を防止するものが簡便な方法として普及しており、そのための様々なグッズや器具が考えられている。
【０００５】
たとえば、１）寝姿勢を改善することを目的としたもので枕を主体としたものや首当て固定具等、２）口呼吸を防止するための口閉じ用接着テープ、３）歯に嵌める上下接続状態のマウスピース、４）電気的に刺激を与えていびきを止めるセンサー付きの器具、５）鼻の通りを良くして鼻呼吸しやすくするもの、などが挙げられる。
【０００６】
なお、鼻中隔彎曲症や肥厚性鼻炎である場合など、鼻自体に構造的問題や疾患を有する人は、鼻呼吸自体が困難であるため、根本的な医療処置、治療が必要であり、以上のような鼻呼吸を維持するための方法で対応すべきではない。
【０００７】
したがって、疾患や鼻自体に問題を有しているのではなく、主に筋肉の緩みによって引き起こされる口呼吸によるいびきに日常的に悩んでいる人々にとっては、手軽にいびきを防止できる安価なグッズが望まれている。
【０００８】
しかしながら、上記のうち、１）の寝姿勢を改善するための枕や首当て固定具等は、その目的のために、各個人の首部の凹み深さ等、肩から首部、頭部にわたる形状に応じた物を選択、調整したものが必要である。また３）のマウスピースは、簡易な既成品もあるが、個人の歯形にフィットしなければ、睡眠中に外れやすく、また無理な装着では違和感で睡眠の障害になることもある。また個人の歯形をとって成形するものでは非常に高価となってしまう。よって、これら１）３）のタイプは、４）の電気的な器具も含め、比較的コストがかかり、容易には用い難い方法である。
【０００９】
これらに対して、５）の鼻呼吸をしやすくするものでは、鼻腔を拡張する作用のある鼻テープが手軽なグッズとして普及している。しかし、鼻呼吸がしやすくなっても、睡眠中に下顎が落ちて口が開いてしまえば、口呼吸になっていびきが生じてしまう。
【００１０】
以上から、手軽ながら最も効果的なのは、２）の口を閉じるテープであり、既に各種の口閉じテープが考えられており（例えば、特許文献１，特許文献２参照）、市販されている。
【先行技術文献】
【特許文献】
【００１１】
【特許文献１】特開２００２−３３６２８６号公報
【特許文献２】実用新案登録第３１６０８９４号公報
【考案の概要】
【考案が解決しようとする課題】
【００１２】
従来の口閉じテープは、主に、上下合わせた状態の唇を縦に跨いで鼻の下と顎の２領域に上下端部が貼着されるものであった。
【００１３】
しかしながら、顎という比較的広い貼着領域に対して鼻の下の貼着領域は、上唇の間まで幅が狭く、しかも「人中」と呼ばれる鼻の下から上唇まで縦に延びる窪んだ溝が横方向に連続する凹凸を形成しているため、テープ上端側の貼着が安定せず、剥がれやすいという問題があった。
【００１４】
また、テープ裏面のほぼ全体に亘って、粘着剤が添付されているため、この粘着剤が長時間唇表面にも貼着されることになり、不快な使用感になると共に、使用後に唇表面が荒れたり、場合によってはテープを剥がす際に唇の薄皮がむけたりする恐れもあった。
【００１５】
本考案の目的は、上記問題点に鑑み、唇に貼着されることなく長時間にわたってより安定的に貼着される手軽な口閉じテープを提供することにある。
【課題を解決するための手段】
【００１６】
上記目的を達成するため、請求項１に記載された考案に係る３領域貼着口閉じテープは、鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備えていることを特徴とするものである。
【００１７】
請求項２に記載された考案に係る３領域貼着口閉じテープは、鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記切欠き部が、貼着状態で唇の中央部に達していることを特徴とするものである。
【００１８】
請求項３に記載された考案に係る３領域貼着口閉じテープは、鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記３つの貼着部と前記連結部とを含む全面領域が、基材層と、該基材層に被覆された粘着剤層と、該粘着剤層を覆う剥離ライナー層との積層材からなり、前記連結部の領域には粘着剤層と剥離ライナー層との間に非粘着材層が介在していることを特徴とするものである。
【００１９】
請求項４に記載された考案に係る３領域貼着口閉じテープは、鼻の下から上唇まで縦に延びる溝の左右両側の２つの領域にそれぞれ貼着する第１の貼着部および第２の貼着部と、これら２つの領域に閉じた唇を挟んで対向する顎の領域に貼着する第３の貼着部と、
前記第１および第２の貼着部のそれぞれから前記第３の貼着部に跨がる非貼着領域からなる連結部と、
前記第１と第２の貼着部の間に形成された切欠き部と、を備え、
前記３つの貼着部と前記連結部とを含む全面領域が、基材層と、該基材層の前記連結部の領域以外に被覆された粘着剤層と、該粘着剤層と前記基材層が露呈する連結部領域とを覆う剥離ライナー層との積層材からなることを特徴とするものである。
【考案の効果】
【００２０】
本考案の３領域貼着口閉じテープによれば、「人中」の左右両側の２つの領域に貼着される第１および第２の貼着部と、これら２つの領域に閉じた唇を挟んで対向する顎の領域に貼着する第３の貼着部との３つの貼着部を備え、第１と第２の貼着部のそれぞれから前記第３の貼着部に跨がる非貼着領域からなる連結部が唇に当接するため、唇に対する不快感もなく、より安定的な貼着状態が維持され、睡眠中の口閉じ状態による鼻呼吸が確保され、良好にいびきが防止できるという効果がある。
【図面の簡単な説明】
【００２１】
【図１】本考案の一実施例による口閉じテープの構成を示す模式図である。
【図２】図１の口閉じテープの使用状態を示す説明図である。
【図３】本考案の別の実施例による口閉じテープの構成を示す模式図であり、（ａ）は概略平面図、（ｂ）は（ａ）のＡ−Ａ断面矢視図である。
【考案を実施するための形態】
【００２２】
本考案においては、鼻の下から上唇まで縦に延びる溝、即ち「人中」の左右両側の２つの領域に貼着される第１の貼着部および第２の貼着部と、これら２つの領域に閉じた唇を挟んで対向する顎の領域に貼着する第３の貼着部との３つの貼着部を備えたものであり、第１と第２の貼着部のそれぞれから前記第３の貼着部に跨がる非貼着領域からなる連結部と、を備え、第１と第２の貼着部の間に切欠き部が形成されている口閉じテープである。
【００２３】
従って、本考案の口閉じテープは、唇の下側の貼着部である顎の第３領域に対して、唇の上側では第１と第２の２つの貼着部でテープが貼着され、しかも、この２つの貼着部は、「人中」部分には間の切欠き部が対応してその凹凸部への貼着を避けた両側領域に対するものであるため、鼻と上唇の間という狭い領域でも、寝姿勢に拘わらず長時間にわたってテープの貼着状態が安定して維持され、口閉じ状態、即ち鼻呼吸状態が良好に確保され、いびきが防止できる。
【００２４】
さらに、「人中」両側の２つの貼着部から顎領域の第３の貼着部へ跨がる連結部は、唇に当接することになるが、該連結部は非貼着領域であるため、唇皮膚への負担や、睡眠中の不快感は生じることがない。また、本考案における３つの貼着部は、男性にとってはヒゲが伸びる箇所へ貼着されるものであるため、使用者が男性であれば、夜間睡眠中はしっかり貼着されていびきを防止しながらも、翌朝にはヒゲが伸びることによって剥がしやすくなるという効果がある。
【００２５】
なお、第１と第２の貼着部の間の切欠き部を、唇の中央部に達するほど深く形成しておけば、唇が部分的に外気に触れるため、完全に唇を覆うことによる不安感はなくなる。また、この切欠き部により、中央部で僅かに上下唇を空けることができるため、ストローなどを用いれば、就寝途中にテープを剥がすことなく水分補給が可能である。
【００２６】
貼着部は、テープの基材に被覆された粘着剤層によって構成することができる。従って、本考案の口閉じテープの製品形態としては、基材層と、基材層を被覆する粘着剤層と粘着剤層を覆う剥離ライナー層との積層材からなるものが簡便な構成として挙げられる。この場合、連結部の非粘着領域は、基材層全面に被覆された粘着剤層の当該連結部領域に非粘着材層を重ねておくこと、あるいは、基材層に対して、連結部領域を除く面にのみ粘着剤層を被覆することによって得られる。
【００２７】
また、第１と第２の貼着部の間に所定深さの切欠き部が得られるようにこれら２つの貼着部から第３の貼着部に跨がる本考案の口閉じテープにおける連結部としては、実質的に、３つの貼着部を約Ｖ字状又はＵ字状あるいはＹ字状に連結するものと言える。従って、テープ自体は、Ｖ、Ｕ、Ｙ等を基本線として必要幅を持たせると共に角張りのない所望の輪郭形状とすれば良い。
【００２８】
上記のようは積層材で構成するのであれば、本考案の口閉じテープは積層体の連続打ち抜き工程で簡便に多量製造でき、また、基材層や粘着剤層、剥離ライナー層、また非粘着剤層も、例えば傷テープを構成するものなど、既存の材料を使用でき、低コストでの提供が可能である。
【００２９】
そこで、基材層として、伸縮性素材を用いれば、寝返りなどの際に顔皮膚の変位が生じてもこれに対応でき、テープ剥がれが起きにくい。本考案の口閉じテープを構成する具体的な素材としては、例えば、基材層には、メッシュのレーヨン不織布、伸縮性のあるウレタン不織布、伸縮性と柔らかさを有するニット織布等が挙げられ、また、粘着剤としては、安全性の高いシリコン樹脂、広くテープ剤に採用されているアクリル樹脂、粘着性調整可能な合成ゴム粘着剤等が挙げられる。
【実施例１】
【００３０】
本考案の第１の実施例による３領域貼着口閉じテープの概略構成を図１、図２の模式図に示す。図１は、本口閉じテープを透過状態で見た平面図である。図２は図１の３領域貼着口閉じテープの使用状態を示す説明図である。
【００３１】
本実施例における口閉じテープ１は、略Ｖ字形状の基材層２と、Ｖ字の開放両上端部領域と下端部領域の３つの領域に粘着剤層を被覆して成る第１及び第２の貼着部（３ａ，３ｂ）と、第３の貼着部３ｃとを備え、第１の貼着部３ａと第２の貼着部３ｂとの間に切欠き部５が形成されたものである。そして、第１の貼着部３ａおよび第２の貼着部３ｂのそれぞれから第３の貼着部３ｃに跨がる連結部４は、粘着剤層のない基材露呈領域として非粘着領域を形成している。
【００３２】
本実施例の口閉じテープ１の使用においては、第１と第２の貼着部（３ａ，３ｂ）が、それぞれ鼻の下の「人中」２１の左右両側領域に貼着され、連結部４が唇２０を跨いで第３の貼着部３ｃが顎領域に貼着されることによって、口閉じ状態が固定され、睡眠中の花鼻呼吸が確保される。このとき、第１と第２の貼着部（３ａ，３ｂ）の間の切欠き部５が、「人中」２１に対応し、「人中」２１の凹凸が貼着に影響することはない。また、唇２０に当接する連結部４は非粘着領域であるため、唇皮膚への粘着剤の悪影響はなく、また睡眠を妨げるような違和感、不快感を生じることもない。
【００３３】
また、本実施例においては、切欠き部５が、唇２０の中央部に達する深さを有しているため、口閉じテープ１を貼着した状態においても、唇２０の中央部が外気に触れるため、唇全体が覆われる際の圧迫感による不安感は回避される。さらに、唇２０の中央部が僅かに開けるため、ストローを用いる事により、就寝中の水分補給も可能である。
【実施例２】
【００３４】
上記第１の実施例では、非粘着領域を粘着剤層のない基材層領域としたが、第２の実施例として、非粘着材層をさらに設けることで非粘着領域を形成した場合を図３に示す。図３（ａ）は、本口閉じテープを透過状態で見た平面図であり、（ｂ）は（ａ）のＡ−Ａ断面矢視図である。
【００３５】
本実施例における口閉じテープ１１は、略Ｖ字形状の基材層１２と、基材層１２の全面に被覆された粘着剤層１３と、粘着剤層１３の全面のうち、連結部１４の領域に、不織布等の非粘着材層１６を重ね、全面を剥離ライナー層１７で覆った製品である。
【００３６】
基材層１２の全面に被覆された粘着剤層１３のうち、非粘着材層１６が重ねられていないＶ字の開放両上端部領域と下端部領域の３つの領域が第１および第２の貼着部（１３ａ、１３ｂ）と第３の貼着部１３Ｃとなる。そして第１の貼着部１３ａと、第２の貼着部１３ｂとの間には切欠き部１５が形成されている。
【００３７】
本実施例の口閉じテープ１の使用においては、剥離ライナー１７を剥離し、第１と第２の貼着部（１３ａ，１３ｂ）が、それぞれ鼻の下の「人中」２１の左右両側領域に貼着され、連結部１４が唇２０を跨いで第３の貼着部１３ｃが顎領域に貼着されることによって、口閉じ状態が固定され、睡眠中の鼻呼吸が確保される。このとき、第１の実施例と同様に、切欠き部１５が、「人中」２１に対応し、「人中」２１の凹凸が貼着に影響することはない。また、唇２０に当接する連結部１４には非粘着材層１６が重ねられているため、唇皮膚への粘着剤の直接的な悪影響はなく、また睡眠を妨げるような違和感、不快感を生じることもない。
【００３８】
なお、以上の実施例においては、略Ｖ字形状を基本とした口閉じテープを説明したが、本考案ではこれに限定されるものではなく、他に略Ｕ字形状、あるいは略Ｙ字形状を基本とし、さらに様々なデザイン性を持たせた輪郭を持つ形状のものが採用可能である。
【符号の説明】
【００３９】
１，１１：３領域貼着口閉じテープ
２，１２：基材層
３ａ，１３ａ：第１の貼着部
３ｂ，１３ｂ：第２の貼着部
３ｃ，１３ｃ：第３の貼着部
４，１４：連結部
５，１５：切欠き部
１３：粘着剤層
１６：非粘着材
１７：剥離ライナー層
２０：唇
２１：人中
【図１】
0003193679.tif 000003
【図２】
0003193679.tif 000004
【図３】
0003193679.tif 000005